(57)【要約】【課題】本発明は目地部間に設置される目地カバー本体を常時ほぼ水平状態に保持し、目地部が狭くなると確実に回動してその揺れ動きを確実に吸収し、揺れ動きが停止すると自動的に元の状態に戻すことができるとともに、安全に使用することができる天井用目地装置を得るにある。【解決手段】一方の天井躯体にヒンジ部材を介して先端部がほぼ垂直状態となる上方へ回動するように取付けられた目地カバーと、この目地カバーの先端部を支持する他方の天井躯体に取付けられた目地カバー支持部材と、目地カバーの上部位置の一方の天井躯体に取付けられた目地カバーをほぼ水平状態に係止するとともに上方向へ回動可能な少なくとも１個以上の目地カバー支持機構と、目地カバーの上部位置の左右の天井躯体に取付けられた目地部が広くなったり、狭くなったりすると伸縮し該伸縮量よりも約２倍以上の目地カバー支持部材と目地カバーの先端部との間が移動できる少なくとも１個以上の吊り上げ機構とで天井用目地装置を構成している。【選択図】  図３
2004150225.tif 000002
【特許請求の範囲】
【請求項１】
目地部を介して設置された左右の建物の目地部側の左右の天井躯体の一方の天井躯体にヒンジ部材を介して先端部がほぼ垂直状態となる上方へ回動するように取付けられた前記目地部を覆う目地カバーと、この目地カバーの先端部を前記目地部を覆った状態で支持することができるように、前記目地部側の左右の天井躯体の他方の天井躯体に取付けられた目地カバー支持部材と、前記目地カバーの上部位置の前記一方の天井躯体に一端部が回動可能に取付けられた先端部が前記目地カバーのヒンジ部材寄りの部位に位置する支持アーム、この支持アームの先端部をスライド移動可能に係止する前記目地カバーをほぼ水平状態に係止するとともに、ほぼ垂直方向へ回動可能なガイドレールとからなる少なくとも１個以上の目地カバー支持機構と、前記目地カバーの上部位置の左右の天井躯体に取付けられた、該目地部が広くなったり、狭くなったりすると伸縮する伸縮リンク、この伸縮リンクの伸縮する部位に介装されるとともに、該伸縮量よりも約２倍以上の前記目地カバー支持部材と目地カバーの先端部との間が移動するように前記支持アームに取付けられたワイヤーとからなる少なくとも１個以上の吊り上げ機構とからなることを特徴とする天井用目地装置。
【請求項２】
目地部を介して設置された左右の建物の目地部側の左右の天井躯体の一方の天井躯体にヒンジ部材を介して先端部がほぼ垂直状態となる上方へ回動するように取付けられた先端部に複数個のローラーを有する前記目地カバーの先端部を覆う目地カバーと、この目地カバーの先端部を前記目地部を覆った状態で支持することができるように、前記目地部側の左右の天井躯体の他方の天井躯体に取付けられた、該目地カバーの先端部の複数個のローラーと当接する傾斜面を有する目地カバー支持部材と、前記目地カバーの上部位置の前記一方の天井躯体に一端部が回動可能に取付けられた先端部が前記目地カバーのヒンジ部材寄りの部位に位置する支持アーム、この支持アームの先端部をスライド移動可能に係止する前記目地カバーをほぼ水平状態に係止するとともに、ほぼ垂直方向へ回動可能なガイドレールとからなる少なくとも１個以上の目地カバー支持機構と、前記目地カバーの上部位置の左右の天井躯体に取付けられた、該目地部が広くなったり、狭くなったりすると伸縮する伸縮リンク、この伸縮リンクの伸縮する部位に介装されるとともに、該伸縮量よりも約２倍以上の前記目地カバー支持部材と目地カバーの先端部との間が移動するように前記支持アームに取付けられたワイヤーとからなる少なくとも１個以上の吊り上げ機構とからなることを特徴とする天井用目地装置。
【請求項３】
目地部を介して設置された左右の建物の目地部側の左右の天井躯体の一方の天井躯体にヒンジ部材を介して先端部がほぼ垂直状態となる上方へ回動可能で、かつほぼ水平状態に係止されるように取付けられた前記目地部を覆う目地カバーと、この目地カバーの先端部を前記目地部を覆った状態で支持することができるように、前記目地部側の左右の天井躯体の他方の天井躯体に取付けられた目地カバー支持部材と、前記目地カバーの上部位置の左右の天井躯体に取付けられた、該目地部が広くなったり、狭くなったりすると伸縮する伸縮リンク、この伸縮リンクの伸縮する部位に介装されるとともに、該伸縮量よりも約２倍以上の前記目地カバー支持部材と目地カバーの先端部との間が移動するように前記支持アームに取付けられたワイヤーとからなる少なくとも１個以上の吊り上げ機構とからなることを特徴とする天井用目地装置。
【請求項４】
吊り上げ機構は左右の天井躯体にほぼ水平状態で固定された一対のガイドレールと、この一対のガイドレールに両端部がスライド移動可能に取付けられた、ほぼ中央部を枢支ピンで枢支されたＸ字状の伸縮リンクと、この伸縮リンクの一方のガイドレールにスライド移動可能に支持される近傍部位の一方に一端部が固定され、他端部が他方に取付けられたガイド部材および前記枢支ピン取付け部あるいは該近傍部位に取付けられたガイド部材を介して支持アームあるいは目地カバーのヒンジ部材寄りの部位に取付けられるワイヤーとで構成されていることを特徴とする請求項１ないし請求項３のいずれかに記載の天井用目地装置。
【請求項５】
吊り上げ機構は左右の天井躯体に両端部が枢支された枠状のリンク本体、このリンク本体の対向するバー部材のほぼ中央部に両端部が枢支された中央バー部材とからなる伸縮リンクと、この伸縮リンクのリンク本体の両側部の枢支部の一方に一端部が固定され、他端部が他方の枢支部のガイド部材および前記中央バー部材のほぼ中央部に取付けられたガイド部材を介して支持アームあるいは前記目地カバーのヒンジ部材寄りの部位に取付けられたワイヤーとで構成されていることを特徴とする請求項１ないし請求項３のいずれかに記載の天井用目地装置。
【発明の詳細な説明】
【０００１】
【発明の属する技術分野】
本発明は目地部を介して設置された左右の建物の天井部分の目地部を覆う天井用目地装置に関する。
【０００２】
【従来の技術】
従来のこの種の天井用目地装置は、目地カバー本体の両端部を左右の建物の天井躯体にスライド移動させたり、一端部を室内側に回動させるようにして、地震時の目地部の寸法が変化する揺れ動きを吸収できる構造になっている。
【０００３】
【発明が解決しようとする課題】
従来の天井用目地装置は目地カバー本体の両端部が目地部側の天井躯体をスライド移動するため、そのスライド移動量を確保しなければならず、大型となり、天井化粧材に取付けるのに苦労するとともに、室内に目地カバー本体の両端部が突出して見苦しくなるという欠点があった。
また、目地カバー本体の一端部を室内側に回動させる構造の天井用目地装置は室内に突出するため、危険であるという欠点があった。
【０００４】
本発明は以上のような従来の欠点に鑑み、目地部間に設置される目地カバー本体を常時ほぼ水平状態に保持し、目地部が狭くなると確実に回動してその揺れ動きを確実に吸収し、揺れ動きが停止すると自動的に元の状態に戻すことができるとともに、安全に使用することができる天井用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は目地部を介して設置された左右の建物の目地部側の左右の天井躯体の一方の天井躯体にヒンジ部材を介して先端部がほぼ垂直状態となる上方へ回動するように取付けられた前記目地部を覆う目地カバーと、この目地カバーの先端部を前記目地部を覆った状態で支持することができるように、前記目地部側の左右の天井躯体の他方の天井躯体に取付けられた目地カバー支持部材と、前記目地カバーの上部位置の前記一方の天井躯体に一端部が回動可能に取付けられた先端部が前記目地カバーのヒンジ部材寄りの部位に位置する支持アーム、この支持アームの先端部をスライド移動可能に係止する前記目地カバーをほぼ水平状態に係止するとともに、ほぼ垂直方向へ回動可能なガイドレールとからなる少なくとも１個以上の目地カバー支持機構と、前記目地カバーの上部位置の左右の天井躯体に取付けられた、該目地部が広くなったり、狭くなったりすると伸縮する伸縮リンク、この伸縮リンクの伸縮する部位に介装されるとともに、該伸縮量よりも約２倍以上の前記目地カバー支持部材と目地カバーの先端部との間が移動するように前記支持アームに取付けられたワイヤーとからなる少なくとも１個以上の吊り上げ機構とで天井用目地装置を構成している。
【０００７】
【発明の実施の形態】
以下、図面に示す実施の形態により、本発明を詳細に説明する。
【０００８】
図１ないし図１１に示す本発明の第１の実施の形態において、１は目地部２を介して設置された左右の建物３、３の目地部２側の左右の天井躯体３ａ、３ａ間を覆う本発明の天井用目地装置で、この天井用目地装置１は前記目地部側の左右の天井躯体３ａ、３ａの一方の天井躯体３ａにヒンジ部材４を介して先端部がほぼ垂直状態となる上方へ回動するように取付けられた前記目地部２を覆う目地カバー５と、この目地カバー５の先端部を前記目地部２を覆った状態で支持することができるように、前記目地部側の左右の天井躯体３ａ、３ａの他方の天井躯体３ａに取付けられた目地カバー支持部材６と、前記目地カバー５の上部位置の前記一方の天井躯体３ａに一端部が枢支金具７によって回動可能に取付けられた先端部が、前記目地カバー５のヒンジ部材４寄りの部位に位置する支持アーム８、この支持アーム８の先端部をスライド移動可能に係止する前記目地カバー５をほぼ水平状態に係止するとともに、ほぼ垂直方向に回動可能なガイドレール９とからなる少なくとも１個以上、本発明の実施の形態では２個の目地カバー支持機構１０、１０と、前記目地カバー５の上部位置の左右の天井躯体３ａ、３ａに取付けられた目地部２が広くなったり、狭くなったりすると伸縮する伸縮リンク１１、この伸縮リンク１１の伸縮する部位に介装されるとともに、該伸縮量よりも約２倍以上の前記目地カバー支持部材６と目地カバー５の先端部との間が移動するように、前記支持アーム８の他端部寄りの部位に取付けられたワイヤー１２とからなる少なくとも１個以上、本発明の実施の形態では２個の吊り上げ機構１３、１３とで構成されている。
【０００９】
前記目地カバー支持部材６は図４に示すようにアングル状に形成され、上部に所定間隔でビス１４が挿入されるビス挿入孔１５が形成された目地カバー支持部材本体１６と、この目地カバー支持部材本体１６の両端部を除く部位に両端部がスポット溶接等で傾斜面１７となるように固定されたガイド部材１８とで構成されている。
【００１０】
前記目地カバー支持機構１０は図５および図６に示すように、前記一方の天井躯体３ａに複数本のビス１９等によって固定された前記枢支金具７と、この枢支金具７の枢支ピン２０に一端部が枢支され、他端部に両側面に突出するローラー２１、２１が取付けられた支持アーム８と、この支持アーム８のローラー２１、２１をスライド移動可能に係止する、前記目地カバー５の上面に前記支持アーム８の先端部がスライド移動できるように離間させて固定されたクランク状の一対のガイドレール部材２２、２２を用いたガイドレール９とで構成されている。
【００１１】
前記吊り上げ機構１３、１３は図７および図８に示すように、前記左右の天井躯体３ａ、３ａに複数本のビス２３等によってほぼ水平状態で固定された一対のガイドレール２４、２４と、この一対のガイドレール２４、２４に両端部のローラー２５、２５、２５、２５がスライド移動可能に取付けられたほぼ中央部を枢支ピン２６で枢支されたＸ字状の伸縮リンク１１と、この伸縮リンク１１の一方のガイドレール２４にスライド移動可能に支持される近傍部位の一方に一端部が固定され、他端部が他方に取付けられたガイド部材２７および前記枢支ピン２６取付け部あるいは該近傍部位に取付けられたガイド部材２８を介して前記支持アーム８の他端部寄りの部位に取付けられたワイヤー１２とで構成されている。
【００１２】
上記構成の天井用目地装置１は地震等によって、左右の建物３、３が異なる方向に揺れ動いて目地部２が狭くなった場合、まず、図９に示すように吊り上げ機構１３、１３の伸縮リンク１１、１１の両端部は開放方向にスライド移動するため、その移動量分だけ支持アーム８、８に取付けられたワイヤー１２、１２が上方へ移動する。
このワイヤー１２、１２の移動によって支持アーム８、８が回動するが、支持アーム８、８の先端部がヒンジ部材４、４寄りの部位であるため、支持アーム８、８の移動量の２倍以上、目地カバー５の先端部を目地カバー支持部材６より移動させ、確実に目地カバー５を損傷させることなく、目地カバー５の先端部を上方へ回動させることができる。
目地部２がさらに狭くなると、図１０に示すように他方の天井躯体３ａや吊り上げ機構１３、１３の作動によって、目地カバー５を押し圧してほぼ垂直状態となるまで回動させることができる。
揺れ動きが停止し、左右の建物３、３が元の状態に戻ると、目地カバー５も元の状態に自動的に戻る。
【００１３】
目地部２が広くなると、図１１に示すように伸縮リンク１１、１１の両端部が狭くなり、支持アーム８、８に取付けられたワイヤー１２、１２は下方へ移動可能となるが、目地カバー支持部材６、６の支持アーム８、８がガイドレール９、９の端部に係止された状態であるため、目地カバー５がほぼ水平状態を保った状態で目地カバー５の先端部と他方の天井躯体３ａとが離れて、その揺れ動きを吸収し、揺れ動きが停止すると自動的に元の状態に戻る。
【００１４】
【発明の異なる実施の形態】
次に、図１２ないし図２２に示す本発明の異なる実施の形態につき説明する。なお、これらの本発明の異なる実施の形態の説明に当って、前記本発明の第１の実施の形態と同一構成部分には同一符号を付して重複する説明を省略する。
【００１５】
図１２ないし図１４に示す本発明の第２の実施の形態において、前記本発明の第１の実施の形態と主に異なる点は、先端部に複数個のローラー２９を取付けた目地カバー５Ａと、両端部をガイドレール２４、２４にスライド移動可能に取付けられた枠状の伸縮リンク本体３０、この伸縮リンク本体３０の対向するバー部材３０ａ、３０ａのほぼ中央部に両端部が枢支ピン３１、３１で枢支された中央バー部材３２と、前記伸縮リンク本体３０の１個のバー部材３０ａを外方へ突出させて先端部をガイドレール２４にスライド移動可能に取付けられる支持バー３３とからなる伸縮リンク１１Ａと、この伸縮リンク１１Ａの両側部の一方の枢支部３４に一端部を固定し、他方の枢支部３４に取付けられたガイド部材２７および前記中央バー部材３２の中央部に取付けられたガイド部材２８を介して支持アーム８の他端部寄りの部位に他端部を取付けたワイヤー１２とからなる吊り上げ機構１３Ａ、１３Ａを用いた点で、このように構成した天井用目地装置１Ａにしても、前記本発明の第１の実施の形態と同様な作用効果が得られる。
【００１６】
図１５ないし図１７に示す本発明の第３の実施の形態において、前記本発明の第２の実施の形態と主に異なる点は、外方へ突出するバー部材を用いない伸縮リンク１１Ｂの両端部を左右の天井躯体３ａ、３ａに枢支金具３５、３５を用いて枢支した吊り上げ機構１３Ｂ、１３Ｂを用いた点で、このような吊り上げ機構１３Ｂ、１３Ｂを用いて構成した天井用目地装置１Ｂにしても、前記本発明の第２の実施の形態と同様な作用効果が得られる。
【００１７】
図１８ないし図２０に示す本発明の第４の実施の形態において、前記本発明の第１の実施の形態と主に異なる点は、目地カバー５をほぼ水平状態に係止することができるヒンジ部材４Ａを用いて目地部側の一方の天井躯体３ａに取付けるとともに、吊り上げ機構１３のワイヤー１２の他端部をヒンジ部材４Ａ寄りの部位の目地カバー５に固定した点で、このように構成した天井用目地装置１Ｃにしても、前記本発明の第１の実施の形態と同様な作用効果が得られるとともに、目地カバー支持機構が不要で、より安価に設置することができる。
【００１８】
図２１および図２２に示す本発明の第５の実施の形態において、前記本発明の第１の実施の形態と主に異なる点は、両端部をほぼ１３５度程折り曲げて形成した目地カバー支持部材６Ａを用いた点で、このような目地カバー支持部材６Ａを用いて構成した天井用目地装置１Ｄにしても、前記本発明の第１の実施の形態と同様な作用効果が得られる。
【００１９】
【発明の効果】
以上の説明から明らかなように、本発明にあっては次に列挙する効果が得られる。
【００２０】
（１）目地部を介して設置された左右の建物の目地部側の左右の天井躯体の一方の天井躯体にヒンジ部材を介して先端部がほぼ垂直状態となる上方へ回動するように取付けられた前記目地部を覆う目地カバーと、この目地カバーの先端部を前記目地部を覆った状態で支持することができるように、前記目地部側の左右の天井躯体の他方の天井躯体に取付けられた目地カバー支持部材と、前記目地カバーの上部位置の前記一方の天井躯体に一端部が回動可能に取付けられた先端部が前記目地カバーのヒンジ部材寄りの部位に位置する支持アーム、この支持アームの先端部をスライド移動可能に係止する前記目地カバーをほぼ水平状態に係止するとともに、ほぼ垂直方向へ回動可能なガイドレールとからなる少なくとも１個以上の目地カバー支持機構と、前記目地カバーの上部位置の左右の天井躯体に取付けられた、該目地部が広くなったり、狭くなったりすると伸縮する伸縮リンク、この伸縮リンクの伸縮する部位に介装されるとともに、該伸縮量よりも約２倍以上の前記目地カバー支持部材と目地カバーの先端部との間が移動するように前記支持アームに取付けられたワイヤーとからなる少なくとも１個以上の吊り上げ機構とで構成されているので、地震等によって目地部が狭くなる場合、目地部が狭くなる寸法の２倍以上の寸法となるように目地カバー支持部より目地カバーの先端部を吊り上げ機構によって自動的に移動させることができる。
したがって、目地カバーを損傷させることなく、目地部が狭くなる揺れ動きを確実に吸収することができる。
【００２１】
（２）前記（１）によって、目地部が広くなった場合、目地カバーがほぼ水平状態になるように目地カバー支持部材で支持することができる。
したがって、目地カバーの先端部より他方の天井躯体が離れて、その揺れ動きを吸収することができる。
【００２２】
（３）前記（１）によって、目地部が狭くなる寸法の２倍以上の寸法となるように目地カバーを回動させることができる。
したがって、目地カバーの回動する直前に他方の天井躯体が目地カバーの先端部に衝突するのを確実に防止して、目地カバーをスムーズに回動させることができる。
【００２３】
（４）前記（１）によって、目地部の狭い部分に容易に設置することができる。
【００２４】
（５）請求項２、３、４、５も前記（１）〜（４）と同様な効果が得られる。
【図面の簡単な説明】
【図１】本発明の第１の実施の形態の平面図。
【図２】本発明の第１の実施の形態の底面図。
【図３】図１の３−３線に沿う拡大断面図。
【図４】本発明の第１の実施の形態の目地カバー支持部材の説明図。
【図５】本発明の第１の実施の形態の目地カバー支持機構の平面図。
【図６】図５の６−６線に沿う断面図。
【図７】本発明の第１の実施の形態の吊り上げ機構の説明図。
【図８】図７の８−８線に沿う断面図。
【図９】本発明の第１の実施の形態の目地部が狭くなり初めの動作説明図。
【図１０】本発明の第１の実施の形態の目地部が狭くなった動作説明図。
【図１１】本発明の第１の実施の形態の目地部が広くなった動作説明図。
【図１２】本発明の第２の実施の形態の平面図。
【図１３】図１２の１３−１３線に沿う拡大断面図。
【図１４】本発明の第２の実施の形態の吊り上げ機構の説明図。
【図１５】本発明の第３の実施の形態の平面図。
【図１６】図１５の１６−１６線に沿う拡大断面図。
【図１７】本発明の第２の実施の形態の吊り上げ機構の説明図。
【図１８】本発明の第４の実施の形態の平面図。
【図１９】本発明の第４の実施の形態の底面図。
【図２０】図１８の２０−２０線に沿う拡大断面図。
【図２１】本発明の第５の実施の形態の平面図。
【図２２】図２１の２２−２２線に沿う拡大断面図。
【符号の説明】
１、１Ａ、１Ｂ、１Ｃ、１Ｄ：天井用目地装置、
２：目地部、            ３：建物、
４、４Ａ：ヒンジ部材、  ５、５Ａ：目地カバー、
６、６Ａ：目地カバー支持部材、
７：枢支金具、          ８：支持アーム、
９：ガイドレール、      １０：目地カバー支持機構、
１１、１１Ａ、１１Ｂ：伸縮リンク、
１２：ワイヤー、
１３、１３Ａ、１３Ｂ：吊り上げ機構、
１４：ビス、            １５：ビス挿入孔、
１６：目地カバー支持部材本体、
１７：傾斜面、          １８：ガイド部材、
１９：ビス、            ２０：枢支ピン、
２１：ローラー、        ２２：ガイドレール部材、
２３：ビス、            ２４：ガイドレール、
２５：ローラー、        ２６：枢支ピン、
２７：ガイド部材、      ２８：ガイド部材、
２９：ローラー、        ３０：伸縮リンク本体、
３１：枢支ピン、        ３２：中央バー部材、
３３：支持バー、        ３４：枢支部、
３５：枢支金具。
【図１】
2004150225.tif 000003
【図２】
2004150225.tif 000004
【図３】
2004150225.tif 000005
【図４】
2004150225.tif 000006
【図５】
2004150225.tif 000007
【図６】
2004150225.tif 000008
【図７】
2004150225.tif 000009
【図８】
2004150225.tif 000010
【図９】
2004150225.tif 000011
【図１０】
2004150225.tif 000012
【図１１】
2004150225.tif 000013
【図１２】
2004150225.tif 000014
【図１３】
2004150225.tif 000015
【図１４】
2004150225.tif 000016
【図１５】
2004150225.tif 000017
【図１６】
2004150225.tif 000018
【図１７】
2004150225.tif 000019
【図１８】
2004150225.tif 000020
【図１９】
2004150225.tif 000021
【図２０】
2004150225.tif 000022
【図２１】
2004150225.tif 000023
【図２２】
2004150225.tif 000024